(57)【特許請求の範囲】
【請求項１】
碍子部を有するスペーサ本体と、前記スペーサ本体の両端に取り付けられた電線クランプとを具備し、
前記スペーサ本体に、スペーサ本体の表面を流れる漏れ電流を検出し、変動する漏れ電流のピーク値を記憶し、記憶されたデータを無線で伝送する漏れ電流検出器を取り付けた相間スペーサであって、
前記漏れ電流検出器は、漏れ電流を検出する磁気センサと、前記検出された漏れ電流のピーク値を捕らえるピークホールド回路と、前記ピークホールド回路で捕らえられた漏れ電流ピーク値、該ピーク値の検出日時、スペーサの識別番号を記憶するデータ処理装置と、前記データ処理装置を作動させるサイリスタトリガー回路と、点検時にアンテナで受信した呼び出し信号に応じて前記データ処理装置に記憶されたデータを呼び出し、無線で伝送する無線送受信ユニットと、前記磁気センサの検出信号を前記サイリスタトリガー回路のサイリスタのゲートに受けてサイリスタトリガー回路をオンにし、無線送受信ユニットから割り込み信号を受けて、データ処理装置および無線送受信ユニットの送信部に電池から受けた電力を供給する電源ＯＮ回路と、を備えていることを特徴とする相間スペーサ。
【請求項２】
前記漏れ電流検出器は、前記ピークホールド回路と前記無線送受信ユニットの作動電源として、太陽電池と、前記太陽電池が発電した電力を蓄えるキャパシタとからなる電源を備えていることを特徴とする請求項１記載の相間スペーサ。
【発明の詳細な説明】
【技術分野】
【０００１】
本発明は、相間スペーサに関し、特に相間スペーサ自体により生ずる相間短絡を防止することができる相間スペーサに関する。
【背景技術】
【０００２】
一般に、架空送電線には、ギャロッピングやスリートジャンプ等の大振幅振動が生じた場合、相間短絡事故が発生する恐れがある。そこで、これらの振動による相間短絡事故を防止するため、架空送電線には相間スペーサが取り付けられている。この相間スペーサは、碍子部を有するスペーサ本体と、このスペーサ本体の両端に取付けられた電線クランプとから構成され、架空送電線の径間内のほぼ中央または複数分割箇所に取り付けられる。
【特許文献１】特開平５−１４６０３７号公報
【発明の開示】
【発明が解決しようとする課題】
【０００３】
しかしながら、架空送電線の径間内のほぼ中央または複数分割箇所に取り付けられた相間スペーサは、碍子部の洗浄や点検が困難であるため、塩害による相間短絡や碍子部の劣化による相間短絡が発生する場合がある。特に台風時には短時間に多量の塩分が碍子部に付着し、相間スペーサを介しての相間短絡が発生しやすくなる。このように、相間スペーサは相間短絡を防止するために取り付けるのであるが、相間スペーサを取り付けたために、かえって相間短絡が生じるという問題があった。
【０００４】
本発明は上記の問題点に鑑み、相間スペーサ自体による相間短絡を未然に防止することができる相間スペーサを提供することを目的とする。
【課題を解決するための手段】
【０００５】
本発明は上記問題点を解決すべくなされたもので、碍子部を有するスペーサ本体と、前記スペーサ本体の両端に取り付けられた電線クランプとを具備し、
前記スペーサ本体に、スペーサ本体の表面を流れる漏れ電流を検出し、変動する漏れ電流のピーク値を記憶し、記憶されたデータを無線で伝送する漏れ電流検出器を取り付けた相間スペーサであって、
前記漏れ電流検出器は、漏れ電流を検出する磁気センサと、前記検出された漏れ電流のピーク値を捕らえるピークホールド回路と、前記ピークホールド回路で捕らえられた漏れ電流ピーク値、該ピーク値の検出日時、スペーサの識別番号を記憶するデータ処理装置と、前記データ処理装置を作動させるサイリスタトリガー回路と、点検時にアンテナで受信した呼び出し信号に応じて前記データ処理装置に記憶されたデータを呼び出し、無線で伝送する無線送受信ユニットと、前記磁気センサの検出信号を前記サイリスタトリガー回路のサイリスタのゲートに受けてサイリスタトリガー回路をオンにし、無線送受信ユニットから割り込み信号を受けて、データ処理装置および無線送受信ユニットの送信部に電池から受けた電力を供給する電源ＯＮ回路と、を備えていることを特徴とする。
【０００６】
スペーサ本体の碍子部の表面が塩害等によりあるレベルを超えて汚損すると、スペーサ本体が導電性を帯び、その表面を流れる漏れ電流がピークをなすように急激に変動する。本発明では、スペーサ本体に上述の漏れ電流検出器を取り付けることにより、漏れ電流のピーク値を記憶させ、そのデータを無線で呼び出すことができる。
【発明の効果】
【０００７】
本発明は、スペーサ本体の表面を流れる漏れ電流を検出し、そのピーク値を記憶し、点検時に記憶されたデータを無線で呼び出し、スペーサ本体の汚損の程度を確認することができるので、相間スペーサ自体が原因となって生じる相間短絡事故を未然に防止することができる。
【発明を実施するための最良の形態】
【０００８】
以下、図面に基づいて本発明の実施の形態を詳細に説明する。
図１は、本発明にかかる相間スペーサの一実施形態の要部を切開した正面図である。この相間スペーサ１０は、金属パイプ１３の両端に碍子部１２Ａ、１２Ｂを有するスペーサ本体１４と、前記スペーサ本体１４の両端に取り付けられた電線クランプ１１Ａ、１１Ｂとを具備したしている。金属パイプ１３には、漏れ電流検出器２０が取り付けられている。
【０００９】
漏れ電流検出器２０はケース２１で覆われた構造をしている。ケース２１内には、漏れ電流を検出する磁気センサ２２と、前記検出された漏れ電流のピーク値を捕らえるピークホールド回路２３と、前記ピークホールド回路２３で捕らえられた漏れ電流ピーク値を記憶するデータ処理装置２６と、前記データ処理装置２６を作動させるサイリスタトリガー回路２４と、前記データ処理装置２６に記憶されたデータを無線で伝送する無線送受信ユニット２７と、電源ＯＮ回路２５と、蓄電器３０と、リチウム電池３１が収容されている。また、ケース２１の外側には、アンテナ２８と太陽電池２９が取り付けられている。
【００１０】
図２は、漏れ電流検出器２０の作動を説明するブロック図である。
磁気センサ２２は相間スペーサ１０の漏れ電流を検出し、その検出信号をピークホールド回路２３に入力する。
ピークホールド回路２３は検出信号から所定の値以上の漏れ電流のピーク値を捕らえ、データ処理装置２６に入力する。
データ処理装置２６は入力された漏れ電流のピーク値をデジタル変換して記憶し、また、漏れ電流のピークの検出日時を記憶する。また、鉄塔間には複数の相間スペーサが取り付けられているので、データ処理装置２６には、当該の相間スペーサ１０を特定する識別番号を記憶させておく。
無線送受信ユニット２７は、点検時にアンテナ２８で受信した呼び出し信号に応じてデータ処理装置２６に記憶されたデ−タを呼び出し、無線で伝送する。
サイリスタトリガー回路２４は、磁気センサ２２からの検出信号をサイリスタのゲートに受けて、オン状態になり、割り込み信号をデータ処理装置２６に出力し、データ処理装置２６を起動させる。
太陽電池２９と蓄電器３０は、ピークホールド回路２３と無線送受信ユニット２７の受信部に常時電力を供給し、ピークホールド回路２３を作動状態に維持し、無線送受信ユニット２７を受信可能な状態に維持する。昼間はおもに太陽電池２９が電力を供給し、夜間は蓄電器３０が、昼間に太陽電池２９から蓄電した電力を供給する。
電源ＯＮ回路２５は、無線送受信ユニット２７から割り込み信号を受けて、データ処理装置２６および無線送受信ユニット２７の送信部にリチウム電池３１から受けた電力を供給する。
【００１１】
漏れ電流検出器２０は以下のようにして作動する。即ち、
１）ピークホールド回路２３と無線送受信ユニット２７の受信部は、昼間は太陽電池２９から、夜間はキャパシタ３０から自然エネルギーによる電力が常時供給されて、常時作動状態になっている。
２）磁気センサ２２が漏れ電流を検出すると、その検出信号がピークホールド回路２３とサイリスタトリガー回路２４に入力される。
３）ピークホールド回路２３は、磁気センサ２２からの検出信号から所定以上の値のピーク値を捕らえる。また、サイリスタトリガー回路２４は、入力された磁気センサ２２の検出信号をサイリスタのゲートに受けてＯＮ状態になり、割り込み信号をデータ処理装置２６に送り、データ処理装置２６を起動させる。
４）割り込み信号により起動したデータ処理装置２６は、ピークホールド回路２３から漏れ電流のピーク値の信号を受けて、Ａ／Ｄ変換して記憶し、同時に前記ピーク値を受けた時刻も記憶する。
【００１２】
相間スペーサ１０の汚損点検は以下のようにして行う。即ち、
５）データ呼び出し信号をアンテナ２８を介して、無線送受信ユニット２７の受信部に送る。
６）無線送受信ユニット２７はデータ呼び出し信号を受信し、割り込み信号をデータ処理装置２６と電源ＯＮ回路２５に送る。
７）電源ＯＮ回路２５は、割り込み信号を受けて、リチウム電池３１から供給された電力をデータ処理装置２６と無線送受信ユニット２７の送信部に供給する。
８）データ処理装置２６は記憶していたデータ（漏れ電流ピーク値、発生時刻、相間スペーサ１０の識別番号など）を無線送受信ユニット２７に送り、無線送受信ユニット２７の送信部はそのデータをアンテナ２８を介して無線で伝送する。
【００１３】
本実施形態が従来例と異なる特徴的なことは、スペーサ本体１４に、漏れ電流のピーク値を検出、記憶し、点検時に記憶されたデータを無線により伝送することができる漏れ電流検出器２０を取り付けたことである。また、太陽電池２９とキャパシタ３０により、漏れ電流検出器２０を常時作動状態に維持していることである。
【００１４】
本実施形態によれば、漏れ電流検出器２０は常時、漏れ電流のピーク値を検出し、記憶することができる作動状態にあり、点検時に記憶されたデータを無線により伝送することができるので、確実に相間スペーサ１０の異常を確認し、相間スペーサ１０による相間短絡を未然に防止することができる。また、漏れ電流検出器２０を作動状態に維持する電源は、太陽電池２９とキャパシタ３０から供給されるので、漏れ電流検出器２０の維持管理が容易になる。
【図面の簡単な説明】
【００１５】
【図１】本発明に係る相間スペーサの一実施形態の要部を切開した正面概略図である。
【図２】上記実施形態の漏れ電流検出器の作動を説明するブロック図である。
【符号の説明】
【００１６】
１０              相間スペーサ
１１Ａ、１１Ｂ    電線クランプ
１２Ａ、１２Ｂ    碍子部
１３              金属パイプ
１４              スペーサ本体
２０              漏れ電流検出器
２１              ケース
２２              磁気センサ
２３              ピークホールド回路
２４              サイリスタトリガー回路
２５              電源ＯＮ回路
２６              データ処理装置
２７              無線送受信ユニット
２８              アンテナ
２９              太陽電池
３０              蓄電器
３１              リチウム電池
【図１】
0004550711.tif 000002
【図２】
0004550711.tif 000003